(57)【要約】      （修正有）【課題】送風性能を大きく悪化させずにサージングを抑制することができる空気調和機を提供する。【解決手段】吸込口（２ａ、２ｂ）から空気を吸込むファン７と、熱交換器６と、熱交換された空気が吹出される吹出口３と、ファン７の下流側に配置され、吹出口３へと空気を導く通風路１０を形成するリアガイダ１１、スタビライザ１２と、リアガイダおよび／またはスタビライザに配置され、傾動させることができる可動板（１５ａ、１５ｂ）と、可動板を駆動させる駆動装置（１７ａ、１７ｂ）と、を備え、可動板に通風路側に突出している突出部（１８ａ、１８ｂ）を備えたことを特徴とする空気調和機。【選択図】図１
2020176803.tif 000002
【特許請求の範囲】
【請求項１】
吸込口と、前記吸込口から空気を吸込むファンと、熱交換器と、前記熱交換器により熱交換された空気が吹き出される吹出口と、前記ファンの下流側に配置され、前記吹出口へと空気を導く通風路を形成するリアガイダ、スタビライザと、前記リアガイダおよび／または前記スタビライザに配置され、傾動させることができる可動板と、前記可動板を駆動させる駆動装置と、を備え、前記可動板に前記通風路側に突出している突出部を備えたことを特徴とする空気調和機。
【請求項２】
前記突出部は、少なくとも前記通風路の左右方向の一端側に設けられている請求項１に記載の空気調和機。
【請求項３】
前記駆動装置の少なくとも一部は、前記可動板の左右方向の外方に位置していることを特徴とする請求項１または２に記載の空気調和機。
【請求項４】
前記突出部は、前記駆動装置の少なくとも一部を覆う様に内側に空間を設けていることを特徴とする請求項１〜３のいずれか１項に記載の空気調和機。
【請求項５】
前記リアガイダおよび／または前記スタビライザは、前記通風路側に突出しているリアガイダ突出部および／またはスタビライザ突出部をさらに備えることを特徴とする請求項１〜４のいずれか１項に記載の空気調和機。
【発明の詳細な説明】
【技術分野】
【０００１】
本発明は、空気調和機の室内機に関するものである。
【背景技術】
【０００２】
従来、この種の空気調和機としては、例えば特許文献１に開示されたものが知られている。特許文献１に開示された空気調和機は、スタビライザまたはリアガイダに、回動可能またはスライド可能に設けられ、吹出口から吹出す気流の風量を制御するための、長手方向に左右に複数に分割された風量制御板を備えている。
【先行技術文献】
【特許文献】
【０００３】
【特許文献１】特許第５２６８６６８号公報
【発明の概要】
【発明が解決しようとする課題】
【０００４】
しかしながら、前記従来の構成では、風量制御板を回動またはスライドして風量制御を行うことで、ファンが回転する際に発生するサージングを抑制することは可能である一方で、サージングを抑制するために風量制御板を用いて風量制御を行うと、風量制御板を大きく稼動させる必要があり、送風性能を大きく悪化させて所望の送風性能が得られないという課題を有していた。
【０００５】
本発明は、前記従来の課題を解決するもので、送風性能を大きく悪化させずにサージングを抑制することができる空気調和機を提供することを目的とする。
【課題を解決するための手段】
【０００６】
前記課題を解説するために、本発明の空気調和機は、吸込口と、吸込口から空気を吸込むファンと、熱交換器と、熱交換器により熱交換された空気が吹出される吹出口と、ファンの下流側に配置され、吹出口へと空気を導く通風路を形成するリアガイダ、スタビライザと、リアガイダおよび／またはスタビライザに配置され、傾動させることができる可動板と、可動板を駆動させる駆動装置と、を備え、可動板に通風路側に突出している突出部を備えたことを特徴とするものである。
【０００７】
これにより、可動板を傾動させて、リアガイダやスタビライザの風路を変化させると、通風路や吹出口の流路が狭められて静圧が確保でき、サージングが抑制できる。これに加えて、リアガイダやスタビライザの通風路側に突出部を備えることで流路が狭められ、サージング抑制効果がさらに得られる。可動板に突出部を備えることで、可動板を傾動する際にその稼動量を大きくしなくてもサージングを抑制することが可能となるため、送風性能の悪化を小さくすることができる。
【発明の効果】
【０００８】
本発明によれば、送風性能の大幅な悪化を抑えながら、発生するサージングを抑制することが可能な空気調和機を提供できる。
【図面の簡単な説明】
【０００９】
【図１】実施の形態１における空気調和機の室内機の可動板が傾動した状態を示す断面図
【図２】同空気調和機の室内機の可動板が傾動した状態を示す拡大断面図
【図３】同空気調和機の室内機のファンが停止した状態を示す断面図
【図４】同空気調和機の室内機のファンが回転をし、可動板が傾動していない状態を示す断面図
【図５】同空気調和機の室内機のリアガイダに取付けた可動板と、通風路に突出した突出部を示す斜視図
【図６】同空気調和機の室内機のリアガイダに、可動板と駆動装置を取付けた状態を示す斜視図
【図７】同空気調和機の室内機のリアガイダに取付ける可動板と駆動装置が、一体となった状態を示す斜視図
【図８】実施の形態２における空気調和機の室内機のリアガイダに取付けた可動板と、可動板に設けられた突出部の内側の空間に駆動装置の一部が覆われている様子を示す断面図と、駆動装置の駆動により前記可動部が傾動する様子を示す断面図
【図９】実施の形態３における空気調和機の室内機のリアガイダの様子を示す斜視図
【図１０】図９の可動板が傾動する様子を示す断面図
【発明を実施するための形態】
【００１０】
第１の発明は、吸込口と、吸込口から空気を吸込むファンと、熱交換器と、熱交換器により熱交換された空気が吹き出される吹出口と、ファンの下流側に配置され、吹出口へと空気を導く通風路を形成するリアガイダ、スタビライザと、リアガイダおよび／またはスタビライザに配置され、傾動させることができる可動板と、可動板を駆動させる駆動装置と、を備え、可動板に通風路側に突出している突出部を備えたことを特徴とする空気調和機である。
【００１１】
これにより、可動板を傾動させて、リアガイダやスタビライザの風路を変化させると、通風路や吹出口の流路が狭められて静圧が確保でき、サージングが抑制できる。これに加えて、リアガイダやスタビライザの通風路側に突出部を備えることで流路が狭められ、サージング抑制効果がさらに得られる。可動板に突出部を備えることで、可動板を傾動する際にその稼動量を大きくしなくてもサージングを抑制することが可能となるため、送風性能の悪化を小さくすることができる。
【００１２】
第２の発明は、特に第１の発明の突出部は、少なくとも前記通風路の左右方向の一端側に設けられていることを特徴とするものである。これにより、突出部は通風路の一端側に設けられているので、通風路の中央部にある場合に比べて、送風性能の悪化が小さくて済む。また、一端側にあることで駆動装置を突出部の内側に設けられた空間に配置する際に配置し易くなり、構成が簡便で、駆動が容易に実施できる。
【００１３】
第３の発明は、特に第１または第２の発明の駆動装置の少なくとも一部は、可動板の左右方向の外方に位置していることを特徴とするものである。
【００１４】
これにより、駆動装置は可動板の左右方向の外方に位置しているため、駆動装置の配置を気にすることなく突出部の構成を考えられ、突出部の形状や大きさを任意に決定することができる。
【００１５】
第４の発明は、特に第１から第３の発明の突出部は、駆動装置の少なくとも一部を覆う様に内側に空間を設けていることを特徴とするものである。
【００１６】
これにより、突出部の、通風路とは反対側の空間に駆動装置を配置することができ、突出部の内側のスペースを有効利用できる。また、駆動装置は突出部の内側にあって通風路にせり出さないため、送風時の通風抵抗とならないので送風性能の高性能化が実現できる。
【００１７】
第５の発明は、特に第１から第４の発明のスタビライザおよび／またはリアガイダは、通風路側に突出しているリアガイダ突出部および／またはスタビライザ突出部をさらに備えることを特徴とするものである。
【００１８】
これにより、突出部の形状や大きさを可動板の配置や大きさに制限されることなく任意に決定することが可能となり、サージング抑制効果を高めることが可能である。
【００１９】
以下、本発明の実施の形態について、図面を参照しながら説明する。なお、この実施の形態によって本発明が限定されるものではない。
【００２０】
（実施の形態１）
本発明の実施の形態１の空気調和機は、室内機と室外機が冷媒配管および制御配線等により互いに接続された、いわゆるセパレート型の空気調和機である。室内機と室外機によりヒートポンプが構成されており、室外機にはコンプレッサが設けられている。室内機は、室内の壁面に取り付ける壁掛け式室内機である。
【００２１】
図１は、本発明の第１の実施の形態１における空気調和機の室内機の可動板が傾動した状態を示す断面図である。図２は、室内機の可動板が傾動した状態を示す拡大断面図である。図３は、室内機のファンが運転を停止している状態を示す断面図である。図４は、室内機のファンが回転し、可動板が傾動していない状態を示す断面図である。図５は、室内機のリアガイダに取付けた可動板と、通風路に突出した突出部の概略構成を示す斜視図である。図６は、室内機のリアガイダに、可動板と駆動装置を取付けた状態を示す斜視図である。図７は、室内機のリアガイダに取付ける可動板と駆動装置が、一体となった状態を示す斜視図である。
【００２２】
図１、３、４において、室内機の本体１は、空気の吸込口となる前面開口部２ａと上面開口部２ｂ、熱交換された空気を吹き出す吹出口３、および前面パネル４を備えている。
【００２３】
室内機の本体１の内部には、室内空気に含まれる塵埃を除去するためのフィルタ５と、取入れた室内空気を熱交換する熱交換器６と、熱交換器６で熱交換して吹出口３から室内に吹き出すための気流を発生させる貫流ファンであるファン７と、ファン７を駆動するモータ８（図５、６に記載）と、モータ８ならびに以下に記載するその他の構成部品の動作を制御する制御装置９が設けられている。
【００２４】
また、室内機の本体１において、ファン７の下流側から吹出口３の上流側に至る通風路１０は、ファン７の下流側に配置されて空気の流れを案内するリアガイダ１１と、このリアガイダ１１に対向して配置されたスタビライザ１２と、室内機の本体１の両側面の内壁（図示せず）とで形成されている。
【００２５】
吹出口３には、吹出口３を開閉すると共に、空気の吹出し方向を上下方向に変更する上下風向変更羽根として、下羽根１３ａと上羽根１３ｂがそれぞれ設けられており、また、吹出口３の内部または上下風向変更羽根１３ａ、１３ｂ周囲の空気を吹出す際に、左右方向に風向を変更することができる左右風向変更羽根１４が設けられている。
【００２６】
リアガイダ１１およびスタビライザ１２の、通風路１０側（もしくは吹出口３側）の一部に、回動動作を行う可動板である可動リアガイダ１５ａおよび可動スタビライザ１５ｂがそれぞれ設けられており、また、リアガイダ１１およびスタビライザ１２の、通風路１０側と反対側には、可動リアガイダ１５ａおよび可動スタビライザ１５ｂを回動させるための駆動装置１７ａ、１７ｂがそれぞれ設けられており、駆動装置１７ａ、１７ｂと可動板１５ａ、１５ｂはそれぞれ回動中心が軸１６ａ、１６ｂで締結されている。（図２に拡大図、図７に一体図）
【００２７】
また、可動板１５ａ、および１５ｂの左右方向の端には、通風路１０側（もしくは吹出口３側）に突出した突出部１８ａ、１８ｂがそれぞれ設けられている。突出部１８ａ、１８ｂは、可動部１５ａ、１５ｂの回動と連動する。
【００２８】
以上のように構成された空気調和機について、以下その動作、作用を説明する。
【００２９】
図３のように、空気調和機が運転を停止した状態から運転を開始すると、図１のように上下風向変更羽根１３ａ、１３ｂが、回動し開口すると共に、前面開口部２ａ、および上面開口部２ｂから吸込まれた風は、フィルタ５、熱交換器６を通過した後、通風路１０を経て、吹出口３から吹出される。吹出される風は、上下風向変更羽根１３ａ、１３ｂや左右風向変更羽根１４がそれぞれ上下方向、左右方向に風向を変更することによって、室内の任意の場所に風を送ることが可能となる。
【００３０】
ここで、ファン７が回転し、吹出口３から風が吹出される際に、例えばフィルタ５にゴミ・埃が堆積するなどして通風抵抗が増すなどすると、十分な静圧が確保できなくなって吹出口３から吹出す風が逆流してサージングと呼ばれる脈動が発生し、これに伴ってバサバサという断続的異常音が発生したり、露付き・滴下を招いたりすることがある。
【００３１】
これに対し、リアガイダ１１およびスタビライザ１２に、それぞれ可動リアガイダ１５ａ、可動スタビライザ１５ｂを備え、これらを回動してリアガイダやスタビライザの流路を変化させて通風路１０もしくは吹出口３の流路を狭くすると、静圧が確保でき吹出口３から吹出した風が逆流するのを一定程度抑制できるので、前記サージングが一定程度抑制でき、バサバサという異常音の発生を抑制し、露付き・滴下を防止することが可能となる。加えて、静圧を向上させて安定した流れ場を形成することができるので、乱流を軽減することができ、低騒音化を図ることができる。
【００３２】
具体的には、図１、図２のように可動板である可動リアガイダ１５ａと可動スタビライザ１５ｂを、駆動装置１７ａ、１７ｂの駆動によって、軸１６ａ、１６ｂを中心に回動すると、可動リアガイダ１５ａは上方に、可動スタビライザ１５ｂは下方に動き、それぞれ通風路１０もしくは吹出口３の流路を狭くして、静圧を上昇させることができ、サージング抑制効果が得られる。逆に可動リアガイダ１５ａが下方に、可動スタビライザ１５ｂが上方に動くと、それぞれ通風路１０もしくは吹出口３の流路を拡大させて、送風性能を向上させることができる。（図４）
【００３３】
しかし、通風路１０の流路を狭くするとサージングを抑制する効果が得られるものの、通風抵抗が大きくなるため、風量の大きさによっては送風性能を悪化させる可能性があり、特にファン７が高回転で回転する場合には、可動リアガイダ１５ａや可動スタビライザ１５ｂの回動が、通風路１０を流れる風に与える影響が大きくなり、送風性能を大きく悪化させることがある。サージングは、ファン７が低回転で回転する際に、静圧が確保しにくいために強く発生する傾向があるが、通風路１０の形状によっては高い回転数で回転する際にも発生することがある。
【００３４】
ここで、可動リアガイダ１５ａ、可動スタビライザ１５ｂに、それぞれ突出部１８ａ、１８ｂを設けると、風の流れに対する抵抗を最小限にしながら通風路１０や吹出口３の流路を狭くして静圧を上昇させることができるので、可動リアガイダ１５ａや可動スタビライザ１５ｂを回動してサージング抑制効果が得られるのと同様に、可動リアガイダ１５ａや可動スタビライザ１５ｂを回動しなくても、サージングを抑制する効果が一定程度得られる。
【００３５】
このため、可動リアガイダ１５ａや可動スタビライザ１５ｂに、突出部１８ａ、１８ｂを設けることで、可動リアガイダ１５ａや可動スタビライザ１５ｂを傾動してバサツキを抑制する際に、突出部１８ａ、１８ｂの効果により、これらが無い場合に比べて、その稼動量を小さくすることができる。この結果、送風性能を大きく悪化させずにサージングを抑えることが可能となる。
【００３６】
特にファン７が高回転で回転する際に発生するサージングなど、比較的小さなサージングに対しては、可動リアガイダ１５ａや可動スタビライザ１５ｂを回動しなくても、突出部１８ａ、１８ｂの効果により無くすことも可能となり、送風性能の悪化を抑えることができる。
【００３７】
可動リアガイダ１５ａと可動スタビライザ１５ｂは、サージングを抑制する上で、どちらか一方が備えられていても、両方が備えられていても、通風路１０の形状、フィルタ５や熱交換器６の圧力損失、あるいはファン７の能力などの状況に応じてそれぞれ効果が得られる。
【００３８】
リアガイダ１１、スタビライザ１２に配置された可動リアガイダ１５ａおよび可動スタビライザ１５ｂは、それぞれファン７の回転数に応じて回動する。具体的には、可動リアガイダ１５ａおよび可動スタビライザ１５ｂの回動角度は、ファン７の回転数に応じて予め設定されていて、ファン７が所定の回転数の場合には、制御装置９の指示によって駆動装置１７ａ、１７ｂが駆動し、可動リアガイダ１５ａおよび可動スタビライザ１５ｂが回動して、所定の回動角度が実現される。
【００３９】
可動リアガイダ１５ａおよび可動スタビライザ１５ｂの回動動作を、ファン７の回転数に応じて制御する一つの例としては、ファン７が所定の回転数もしくは所定幅の回転数域で回転する場合に回動角度が最も大きくなるようにし、それ以外の回転数もしくは回転数域では、回転数が小さくなるほど、あるいは逆に回転数が大きくなるほど、徐々に回動角度を小さくするといった制御が考えられる。これによって、サージングが発生する回転数もしくは回転数域では、回動角度を大きくしてこれを抑制し、それ以外の回転数では、回動角度を小さくしたり、図４に示すように回動角度を０°にする、つまり回動させないようにすることで、送風性能を確保するようにしたりでき、省エネ性と快適性の向上を実現することができる。
【００４０】
可動リアガイダ１５ａおよび可動スタビライザ１５ｂの回動角度は最大角度から０°まで、任意の角度にすることが可能で、回動角度が大きい程、サージング抑制効果もそれに応じて大きくできる。一方で、回動角度を小さくする程送風性能が向上でき、省エネ性ならびに快適性も向上できる。なお、可動リアガイダ１５ａおよび可動スタビライザ１５ｂを回動させるのに、最大角度から０°までの任意の角度にできる方法の他、最大角度と、０°の両者にだけ可動する方法もある。
【００４１】
前記のとおり、ファン７の回転数もしくは回転数域に応じて回動角度を決定する方法の具体的な回転角度決定方法として、以下の式で定義されるファン効率が、最大となるように可動リアガイダ１５ａ、可動スタビライザ１５ｂを稼動制御する方法がある。つまり、ｄＰを圧力損失（吸込口から吹出口までの送風路の圧力損失）、Ｑを吸込口からの風量、ｎをファン回転数、Ｔをトルク（モータ８からファン７に供給される出力）、Ｗをモータ入力と定義すると、ファン効率ηは、η＝（ｄＰ＊Ｑ）／（ｎ＊Ｔ）≒Ｑ／Ｗ、と定義できるので、前記ファン効率ηが最大となる可動リアガイダ１５ａ及び可動スタビライザ１５ｂの回動角度が予め設定するものである。
【００４２】
このようにすると、ファン７の回転数もしくは回転数域に応じて、ファン効率ηが最大になるように、可動リアガイダ１５ａ、可動スタビライザ１５ｂが傾動するため、サージングを抑制しながらモータ入力を低減でき、その結果、省エネを図ることができる。
【００４３】
ここで、圧力損失ｄＰとトルクＴとは、計測するのが困難であるため、簡易的に、風量Ｑとモータ入力Ｗとを計測して、η≒Ｑ／Ｗによって評価することもできる。なお、この場合には、ファン効率ηは略最大となる。
【００４４】
通常、流路が送風性能にとって最適な状態の場合、可動板を傾動させて流路を狭くすると、静圧は上昇させられるものの送風性能は悪化する。一方、例えばフィルタ５にゴミ・埃が堆積するなどして通風抵抗が増したときなどには、ある程度流路を狭くした方がファン効率を最大にできることがある。
【００４５】
前記のとおり、ファン７の回転数もしくは回転数域に応じて、可動リアガイダ１５ａおよび可動スタビライザ１５ｂの回動角度を予め決定し、これに従って駆動装置１７ａ、１７ｂを制御する場合、事前に決定される回動角度は、例えばフィルタ５にゴミ・埃が堆積するなどして通風抵抗が増したときなどを想定して決定しても、通風抵抗の増加が無い場合を想定して決定してもどちらでも良い。
【００４６】
図１〜８において、突出部１８ａは、通風路１０（吹出口３）の左右方向の端（図では右側）に設けることで、送風性能の悪化を最小限とすることができる。また、一端側にあることで、駆動装置１７ａを突出部１８ａの内側に設けられた空間に配置する際にスペースを有効に利用しつつ配置し易くなり、構成が簡便で、駆動が容易に実施できる
図１〜４および図６〜７において、駆動装置１７ａは、可動リアガイダ１５ａの左右方向の外方に位置しているので、駆動装置の配置を気にすることなく突出部の構成を考えられるため、突出部の形状や大きさを任意に決定することができる。
【００４７】
突出部１８ａの形状は、図１〜７のような円弧の一部の形状の他、台形、三角錐やスキーのジャンプ台のような形状のものなどが考えられる。
【００４８】
なお、突出部１８ａ、１８ｂは、サージングを抑制する上で、どちらか一方が備えられていても、あるいは、両方が備えられていても、通風路１０の形状、フィルタ５や熱交換器６の圧力損失、あるいはファン７の能力などの状況に応じてそれぞれ効果が得られる。
【００４９】
また、突出部１８ａ、１８ｂの配置位置は、サージングを抑制する上で、図５〜７のように左右方向の右端だけでなく、それ以外の左端やあるいは中央部分に設けられていても、もしくはこれらの組み合わせのいずれでも、通風路１０の形状、フィルタ５や熱交換器６の圧力損失、あるいはファン７の能力などの状況に応じてそれぞれ効果が得られる。
【００５０】
図５において、突出部１８ａが可動リアガイダ１５ａ上に位置しているので、可動リアガイダ１５ａが傾動すると、突出部１８ａもそれに連動して動くことになり、これにより、可動板と突出部とが一体形成されているので、両者をそれぞれ駆動させる必要がなく、構成が簡便で、駆動が容易に実施できる。なおこのことは、突出部１８ｂと可動スタビライザ１５ｂについても同様のことが言える。
【００５１】
図６、図７を用いて、可動リアガイダ１５ａと駆動装置１７ａを、共にリアガイダ１１に取付ける方法の一例を説明する。まず、可動リアガイダ１５ａの左側にある軸をリアガイダ１１の左側にある軸受け（図示せず）に通してから可動リアガイダ１５ａを所定位置に配置し、次に駆動装置１７ａをリアガイダ１１の通風路１０側とは反対側の右側に用意し、そして駆動装置１７ａの軸１６ａを、リアガイダ１１の右側の軸穴（図示せず）に通しながら、可動リアガイダ１５ａの右側にある軸受け（図示せず）に取付けることで、両者を締結することができる。締結後に、駆動装置１７ａをリアガイダ１１の通風路１０とは反対側に固定する。この方法であれば、可動リアガイダ１５ａと駆動装置１７ａを簡単にリアガイダ１１に取付けることが可能で、また、位置決めを精度良く行え、取外す際も容易に取り外せる。
【００５２】
なお、本実施の形態においては、リアガイダ１１に可動リアガイダ１５ａと、駆動装置１７ａとを締結する場合について説明するが、スタビライザ１２に可動スタビライザ１５ｂと駆動装置１７ｂを締結する際も同様の方法となる。
【００５３】
ここで、可動リアガイダ１５ａならびに可動スタビライザ１５ｂは、それぞれ、一枚の板で構成されていても、複数の板に分割されていてもいずれでも構わない。一枚の場合は、駆動装置１７ａ、１７ｂと締結する際に容易に締結できる上、駆動装置１７ａ、１７ｂで回動する際に、制御が容易となる。また、複数に分割されている場合は、通風路１０の左右長手方向のうち静圧が確保できていない場所だけ、可動リアガイダ１５ａもしくは可動スタビライザ１５ｂを傾動させるということが可能となり、サージング抑制効果を得つつ、送風性能の悪化を最小限にとどめることが可能となる。
【００５４】
図１、２において、上下風向変更羽根１３ａと１３ｂの上下方向の角度は一例を示しているが、上下風向変更羽根１３ａと１３ｂの回動角度が変わると、通風路１０を流れる風の流れ方も変わるため、これに応じて、可動リアガイダ１５ａや可動スタビライザ１５ｂの回動角度を変更することがサージングの抑制や、送風性能向上に対して効果的となる。
【００５５】
図１から４における左右風向変更羽根１４は、上下風向変更羽根１３ａの上に配置した図で説明しているが、この左右風向変更羽根１４は、リアガイダ１１やスタビライザ１２などその他の場所に配置しても同様の効果が得られる。
【００５６】
突出部１８ａ、１８ｂの形状・大きさと、可動リアガイダ１５ａの形状・長さ・回動角度と、可動スタビライザ１５ｂの形状・長さ・回動角度を組み合わせることで、送風性能が良化するのに伴う省エネ効果と、サージング抑制効果を共に変化させることが可能となるため、これらの組み合わせ方で、両者の効果を任意に引き出すことが可能となる。
【００５７】
図１、３、４において、前面パネル４はファン７が回転している際も、停止している際も、室内機の本体１に密着し閉じた状態となっているが、ファン７が停止時は閉じていて、ファン７が回転をすると前面パネル４が前面側に移動して室内機の本体１との間に隙間を設けて開いた状態（図示せず）となると、吸込口の前面開口部２ａから吸込む風量が増大する。このため、フィルタ５にゴミ・埃が堆積するなどして通風抵抗が増したときでも、前面パネル４を開いて吸込み面積を確保できれば、通風抵抗の増大による送風性能の悪化を補うことができる。よって、前面パネル４が開閉できる場合は、前面パネル４の開閉と、突出部の形状・大きさと、可動リアガイダ１５ａならびに可動スタビライザ１５ｂの形状・長さ・回動角度を組み合わせることで、高性能化に伴う省エネ効果と、サージング抑制効果の両者の効果を任意に引き出すことが可能となる。
【００５８】
本実施の形態では、吹出口３がファン７よりも下側にあるいわゆる下吹出し形態の空気調和機について述べているので、可動リアガイダ１５ａを傾動させる駆動装置１７ａは、突出部１８ａやリアガイダ１１、通風路１０の下側にあり、また、可動スタビライザ１５ｂを傾動させる駆動装置１７ｂは、突出部１８ｂやスタビライザ１２、通風路１０の上側にあるが、これとは別形態の、吹出口３がファン７よりも上側にある上吹出し形態の空気調和機（図示せず）の場合は、上下の位置関係が逆になるため、駆動装置１７ａは突出部１８ａリアガイダ１１、通風路１０の上側に、駆動装置１７ｂは突出部１８ｂやスタビライザ１２、通風路１０の下側にある。
【００５９】
（実施の形態２）
図８は、本発明の第２の実施の形態における空気調和機の室内機のリアガイダに取付けた可動板と、可動板に設けられた突出部とが、駆動装置の駆動により連動して稼動する様子を示す断面図である。図８において、１９は駆動装置１７ａの駆動力を可動リアガイダ１５ａに伝達するための伝達手段で、駆動装置１７ａの軸１６ａと可動リアガイダ１５ａの軸１６ｃを結んでいる。
【００６０】
以上のように構成された空気調和機について、以下、その動作・作用について、第１の実施の形態と異なる部分についてのみ説明する。駆動装置１７ａは可動リアガイダ１５ａが傾動していない場合は突出部１８ａの内側にあり（図８（ａ））、駆動装置１７ａが駆動すると、その力が伝達手段１９を経て、可動リアガイダ１５ａに伝わり、可動リアガイダ１５ａが傾動する（図８（ｂ））。
【００６１】
可動リアガイダ１５ａが傾動していない場合、駆動装置１７ａは突出部１８ａの内側にあるので、駆動装置１７ａが突出部１８ａと異なる場所に配置される場合と比べて、スペースの有効利用が可能となる。このように駆動装置１７ａが突出部１８ａの内側にあることで、通風路１０や吹出口３に駆動装置１７ａが余計にせり出したりしないいため通風抵抗にならず送風性能を悪化させない。
【００６２】
突出部１８ａの形状・大きさは、駆動装置１７ａを内側に納めつつサージングを抑制・防止できるもののうち、送風性能の低下を最小限にとどめる形状・大きさとなる。なお、以上のことは、可動スタビライザ１５ｂに設けた駆動装置１７ｂと突出部１８ｂとの位置関係についてもそれぞれ同様のことが言える。
【００６３】
（実施の形態３）
図９は、本発明の第３の実施の形態における空気調和機の室内機のリアガイダの様子を示す斜視図である。図１０は、図９の可動板が傾動する様子を示す断面図である。図９において、突出部１８ａは、一部がリアガイダ１１に、一部が可動リアガイダ１５ａ上に設けられている。
【００６４】
以上のように構成された空気調和機について、以下、その動作・作用について、第１、第２の実施の形態と異なる部分についてのみ説明する。突出部１８ａは、分割され可動リアガイダ１５ａが傾動していない場合は、一部をきり欠きながら通風路１０または吹出口３の流路が狭められないように構成され、サージングを抑制する（図１０（ａ））。また、可動リアガイダ１５ａが傾動すると、切りかかれた部分の幅を吸収するようになって可動リアガイダ１５ａが傾動していない時と同様、通風と１０または吹出口３の流路を狭めてサージング抑制効果が得られるので、可動リアガイダ１５ａの稼動量を大きくしなくて済む。また、一部がリアガイダ１１に設けられていることから、突出部１８ａの形状や大きさを可動リアガイダ１５ａの配置や大きさに制限されることなく任意に決定することができ、サージング抑制効果を高めることが可能である。なお、以上のことは、可動スタビライザ１５ｂに設けた駆動装置１７ｂと突出部１８ｂとの位置関係についてもそれぞれ同様のことが言える。
【産業上の利用可能性】
【００６５】
以上のように、本発明にかかる空気調和機は、室内ユニットの通風路を形成するスタビライザやリアガイダに突出部と可動板を設けて、ファンの回転数の変化、すなわち、風量の変化に対応させて可動板を傾動させることで、エネルギー効率を向上できるので、業務用及び一般家庭等で使用される空気調和機に有用である。
【符号の説明】
【００６６】
１    室内機の本体
２ａ  前面開口部（吸込口）
２ｂ  上面開口部（吸込口）
３    吹出口
４    前面パネル
５    フィルタ
６    熱交換器
７    ファン
８    モータ
９    制御装置
１０  通風路
１１  リアガイダ
１２  スタビライザ
１５ａ  可動リアガイダ（可動板）
１５ｂ  可動スタビライザ（可動板）
１６ａ、１６ｂ  軸
１７ａ、１７ｂ  駆動装置
１８ａ、１８ｂ  突出部
【図１】
2020176803.tif 000003
【図２】
2020176803.tif 000004
【図３】
2020176803.tif 000005
【図４】
2020176803.tif 000006
【図５】
2020176803.tif 000007
【図６】
2020176803.tif 000008
【図７】
2020176803.tif 000009
【図８】
2020176803.tif 000010
【図９】
2020176803.tif 000011
【図１０】
2020176803.tif 000012